(57)【要約】【課題】浴槽外形を設計する時、波返し構造の余分な大きさを考慮せず設計できるようにし、オーバーフロー口の周囲や浴槽壁面が汚れないようにする。【解決手段】波返し構造を有する凹型溝を、当該浴槽の上部の壁面の水平線上に、前記凹型溝の開口が前記浴槽の内方となるよう設置することで、前記浴槽の上縁部を内方にせり出さない構造とし、浴槽に溜めた水面と前記波返し構造との距離を一定に確保するための水位調整機能を有する凹型溝内排水口を、前記凹型溝の側面または下面に設ける。【選択図】図１
2014073282.tif 000002
【特許請求の範囲】
【請求項１】
上肢または下肢を湯水の渦流や噴流や気泡を用いて治療するための温浴療法用浴槽において、波返し構造を有する凹型溝を、当該浴槽の上部の壁面の水平線上に、前記凹型溝の開口が前記浴槽の内方となるよう設置することで、前記浴槽の上縁部を内方にせり出さない構造とし、前記浴槽に溜めた水面と前記波返し構造との距離を一定に確保するための水位調整機能を有する凹型溝内排水口を、前記凹型溝の側面または下面に設けたことを特徴とする温浴療法用浴槽。
【発明の詳細な説明】
【技術分野】
【０００１】
本発明は、上肢又は下肢を湯水の渦流又は噴流又は気泡を用いて治療するための、温浴療法用浴槽に関するものである。
【背景技術】
【０００２】
従来の浴槽を、上肢又は下肢を湯水の渦流又は噴流又は気泡を用いて治療するための温浴療法用浴槽として使用すると、上肢又は下肢に衝突後の水の動きにより、前記浴槽の外部へ水が飛散し周囲を濡らしたり、使用者の衣服を濡らしたりすることがある。
【０００３】
そこで、湯水が外部へ飛散し難くなるよう、従来の浴槽に波返しを設置したものがある（例えば、特許文献１、特許文献２参照。）。以下、従来の特許文献１、特許文献２に記載の波返しについて説明する。
【０００４】
特許文献１に記載の波返しは、前記浴槽に波返しと共に波返し下側の水位が確定するようオーバーフロー口を設置した特徴がある。
【０００５】
特許文献２に記載の波返しは、前記浴槽に波返しと共にオーバーフロー口を設置しているが、オーバーフロー口の位置が波返し下側に設置しているかどうかは定かではない。なお、設置された前記波返し形状特有の前記波返しの裏側に溜まる汚れを掃除し易いよう前記波返し部分に脱着機能を施した特徴がある。
【０００６】
しかし、特許文献１、特許文献２のいずれに記載の波返しも、従来の浴槽の上縁部を内方にせり出す構造のため、上肢又は下肢を前記浴槽に入浴させる本目的に重要な性能である入浴開口面積を確保しようとすると、前記浴槽は前記波返しにより余分な大きさが必要になるため、前記浴槽の製作経費が増大し、さらに前記浴槽に溜める水の使用量が増え、水を温めるための電気代が増えてしまう。
【０００７】
また、人体に付着する汚れ又はゴミは油脂分を含んでいることが一般的であり、油脂分を含む汚れ又はゴミはおよそ水面に浮く性質がある。よって、人体を浸す前述の浴槽に存在する汚れ又はゴミは水面に漂っていることが多く、それが特許文献２に記載の前述の波返し裏側に溜まる汚れという課題の一因となっている。
【０００８】
さらに、特許文献２の記載において、前述の浴槽内側に設置したオーバーフロー口が前記浴槽内側の壁面上の任意の一点に設置されている。この場合、オーバーフロー口の周辺は排水される水により水面に漂う汚れ又はゴミが寄せ集められ、オーバーフロー口が設置された前記浴槽内側の壁面の周辺が特に汚れた部分となることが多く、使用者に不快感が生じてしまう。
【０００９】
また、水面で発生する波により、水面に漂う汚れ又はゴミが前述の浴槽内側の壁面に寄せ集められ、前記浴槽内側の壁面全周に亘り水面ライン上に付着していることも多く、同様に使用者に不快感が生じてしまう。
【先行技術文献】
【特許文献】
【００１０】
【特許文献１】特開平６−７８８５８号公報
【００１１】
【特許文献２】特開２００４−２６７４１８号公報
【発明の概要】
【発明が解決しようとする課題】
【００１２】
解決しようとする問題点には、従来の浴槽を、上肢又は下肢を湯水の渦流又は噴流又は気泡を用いて治療するための温浴療法用浴槽として使用すると、上肢又は下肢に衝突後の水の動きにより、前記浴槽の外部へ水が飛散し周囲を濡らしたり、使用者の衣服を濡らしたりすることがある点、また、その対応として、前記浴槽内に波返しを設置した場合、前記浴槽は前記波返しによって余分な大きさが必要になる点、また、前記浴槽内側に設置したオーバーフロー口の周囲や前記浴槽内側の壁面が汚れてしまう点がある。
【課題を解決するための手段】
【００１３】
本発明の温浴療法用浴槽は、上肢または下肢を湯水の渦流や噴流や気泡を用いて治療するための温浴療法用浴槽において、波返し構造を有する凹型溝を、当該浴槽の上部の壁面の水平線上に、前記凹型溝の開口が前記浴槽の内方となるよう設置することで、前記浴槽の上縁部を内方にせり出さない構造とし、前記浴槽に溜めた水面と前記波返し構造との距離を一定に確保するための水位調整機能を有する凹型溝内排水口を、前記凹型溝の側面または下面に設けたことを最も主要な特徴とする。
【発明の効果】
【００１４】
本発明の温浴療法用浴槽は、波返し構造を設置しても当該浴槽の上縁部を内方にせり出さない構造としているため、入浴開口面積を確保した前記浴槽外形を設計する時、前記波返し構造による余分な大きさを考慮せず設計できることで、前記浴槽外形がコンパクトになり製作経費が削減でき、さらに前記浴槽に溜める水の使用量が節約でき、水を温める電気代の節約もできるという利点がある。
【００１５】
また、前述の凹型溝に凹型溝内排水口を設置することで、前記凹型溝によってできた壁面の開口高さ自体が前述の浴槽内に溜めた水面と波返し構造との距離となるため、その距離を調節することで、前記波返し構造による波返しの効果を十分引き出せるという利点がある。
【００１６】
また、前述の凹型溝に凹型溝内排水口を設置することで、前記凹型溝全体が排水ドレインとしての機能を持つため、前述の浴槽内側の壁面に汚れが留まらず、水面に漂う汚れ又はゴミが通常使用時に視認しにくい前記凹型溝にて捕集される。このため、治療時には前記浴槽内側の壁面の汚れが使用者の視界に入らず快適に使用することができる。
【００１７】
さらに、治療時に前述の浴槽内に発生する波により、前述の凹型溝内排水口に汚れ又はゴミが寄せられ、前記凹型溝内排水口から当該温浴療法用浴槽の外部へ排出されるため、掃除を行う労力を軽減するという利点がある。
【図面の簡単な説明】
【００１８】
【図１】本発明の温浴療法用浴槽の実施例１を示した斜視図である。
【図２】本発明の温浴療法用浴槽の実施例１乃至６を示した上面図である。
【図３】本発明の温浴療法用浴槽の実施例１の図２中の矢視Ａ−Ａの断面図である。
【図４】本発明の温浴療法用浴槽の実施例２の図２中の矢視Ａ−Ａの断面図である。
【図５】本発明の温浴療法用浴槽の実施例３の図２中の矢視Ａ−Ａの断面図である。
【図６】本発明の温浴療法用浴槽の実施例４の図２中の矢視Ａ−Ａの断面図である。
【図７】本発明の温浴療法用浴槽の実施例５の図２中の矢視Ａ−Ａの断面図である。
【図８】本発明の温浴療法用浴槽の実施例６の上面図である。
【発明を実施するための形態】
【００１９】
当該浴槽内に波返し構造を設置しつつも入浴開口面積を十分広く取り、前記浴槽内の汚れを使用者から視認し難くし、前記浴槽内の掃除を行う際は、掃除を行う労力を減らすという目的を、排水機能を具備する凹型溝を設置することで実現した。
【００２０】
【実施例１】
【００２１】
以下、図面を参照して実施例について詳しく説明する。図１は、本発明の１実施例に係わる上肢用の渦流を用いた温浴療法用浴槽の斜視図であり、図２は、その上面図である。また、図３は、この実施例に係わる凹型溝２１の断面図である。
【００２２】
本発明の主体は、浴槽１２の構造にあるため、制御部３０、機構部１９の説明は概略のみとする。
【００２３】
図１、図２において、目的とする上肢を治療するに足る大きさの浴槽１２の周りをカバー１８で囲み、カバー１８の内部の浴槽１２の周囲に、この装置を作動させるに必要な機構部１９、制御部３０、左ホース３３、右ホース３４、凹型溝内排水口ホース３５、下部排水口ホース３７を設置する。
【００２４】
また、浴槽１２内に、左ノズル１４、右ノズル１５、ヒータ１６、下部排水口１７、凹型溝２１、水位センサ３１を設置する。
【００２５】
機構部１９は、循環ポンプ３２を内蔵しており、浴槽１２内の左ノズル１４は左ホース３３によって循環ポンプ３２に、また、浴槽１２内の右ノズル１５は右ホース３４によって循環ポンプ３２に接続する。
【００２６】
また、下部排水口１７は下部排水口ホース３７により、下部排水口トラップ３８と循環ポンプ３２に接続する。なお、下部排水口トラップ３８と下部排水口ホース３７の間に排水栓３９を設置し、通常使用時は循環ポンプ３２に対する給水のため閉じておく。
【００２７】
また、浴槽１２内の凹型溝２１内に、凹型溝内排水口２２を設置し、凹型溝内排水口２２は、凹型溝内排水口ホース３５によって凹型溝内排水口トラップに接続する。このトラップは特に閉じる必要が無いため、この部分は常時開放とする。
【００２８】
使用時は、浴槽１２内部に水を溜めて使用し、その水位は、水位センサ３１によって、常時監視している。
【００２９】
操作パネル１１により湯水の温度設定を入力すると、入力された制御信号により制御部３０を通じてヒータ１６は制御され、浴槽１２内部の水は、ヒータ１６により入力された温度設定になるよう温められ湯水になる。
【００３０】
使用者は、治療開始前に、治療する上肢を浴槽１２の上面の開口部から入水し、入水完了した後、操作パネル１１を操作し治療開始すると、入力された制御信号により制御部３０を通じて機構部１９は制御され、湯水が下部排水口１７から下部排水ホース３７により機構部１９に給水され、機構部１９から発生した渦流が左ホース３３を通り左ノズル１４から、また右ホース３４を通り右ノズル１５から浴槽１２内の湯水に放出される。
【００３１】
渦流の強さは、上肢を入水していない状態で治療開始した場合でも、水面に大きな波打ちが発生する程度に調整されている。
【００３２】
治療停止は、操作パネル１１を操作し治療停止を入力するか、もしくは操作パネル１１に搭載されたタイマを用いて行う。
【００３３】
なお、この例は一例であり、設置するノズルは、左ノズル１４、右ノズル１５のいずれか片方だけでも良い。また、気泡を用いて治療をする場合は、別途気泡発生装置を浴槽１２内に設置するため、前記ノズルは不要になる。
【００３４】
従来の浴槽であれば、治療中に使用者の上肢に左ノズル１４、右ノズル１５から放出された渦流が当たり、その衝突後の水の動きにより、前記浴槽の外部へ水が飛散し周囲を濡らしたり、使用者の衣服を濡らしたりすることがある。
【００３５】
このため、浴槽１２の上部の壁面に、波返し構造２３及び凹型溝内排水口２２を併せ持った凹型溝２１を設置した。
【００３６】
図３は、本発明の実施例１に係わる凹型溝２１の構造を表した断面図である。
【００３７】
凹型溝２１は、浴槽１２内側の上部の壁面の水平線上に凹型溝２１の開口が内方となるよう設置し、設置する範囲は、図１の実施例ではカバー１８内に設置される制御部３９、機構部１９、及びホース類のレイアウトの都合上、壁面の約半分に設置している。
【００３８】
なお、この例は一例であり、凹型溝２１を設置する範囲は、浴槽１２内側の壁面の全周、又は、必要な箇所に部分的に設置することもできる。
【００３９】
凹型溝２１の溝によってできた上面が波返し構造２３となり、また、下面に凹型溝内排水口２２を設置することで、凹型溝２１の全体が大きな排水ドレインとしての機能を持ったものとみなすことができる。
【００４０】
浴槽１２内部の水面は、使用直前におよそ凹型溝２１の下面の直下に位置しており、水位センサ３１により監視されている。
【００４１】
上肢を入水することで水位が増し、凹型溝２１に湯水が流れ込み、凹型構内排水口２２から、凹型溝内排水口ホース３５を通り、凹型溝内排水口トラップ３６により外部へ排出される。
【００４２】
よって、浴槽１２の水面が、凹型溝２１に流入する湯水の波の高さを除き、凹型溝２１の下面より上部に位置することはない。
【００４３】
凹型溝２１に流入する湯水の波は、凹型溝２１の下面を沿って上面の波返し構造２３に当たり、凹型溝２１の下面もしくは浴槽１２へ戻される。
【００４４】
この波の高さに合わせ、凹型溝２１の上面の波返し構造２３と、凹型溝２１の下面との距離を最適な距離に設定しておくと、流入する波と波返し構造２３との距離が必ず一定に確保され、波返しの効果が十分引き出せる。
【００４５】
また、この構造と効果により波返し特有の内方へのせり出しを無くすことができ、浴槽１２開口面全体を入浴開口面積として有効活用することができ、波返し構造２３による浴槽１２の余分な大きさを考慮せず設計できることで、浴槽１２外形のコンパクト化が可能となり、製作経費が削減でき、さらに前記浴槽に溜める水の使用量が節約でき、水を温める電気代の節約もできるようになる。
【００４６】
凹型溝２１の開口全体が排水ドレインとしての機能を持つため、水面に漂う汚れ又はゴミが浴槽１２内側壁面に留まらず、波に乗って凹型溝２１内部に流入し、凹型溝２１にて捕集される。
【００４７】
通常使用時、使用者は上面からの目線が殆どであるため、凹型溝２１内に溜まった汚れ又はゴミは、使用者の視界になかなか入らないので、使用者は、快適に使用することができる。
【００４８】
さらに、治療時に浴槽１２内に発生する波により凹型溝内排水口２２に汚れ又はゴミが寄せられているため、凹型溝内排水口２２より当該温浴療法用浴槽の外部へ排出され、掃除を行う労力を減らすという利点もある。
【００４９】
また、凹型溝内排水口２２に汚れ又はゴミを除去するフィルタを設置することで、排出される汚れ又はゴミを事前に捕集しておくこともできる。
【００５０】
なお、定期的に浴槽１２内部の水を抜いて浴槽１２内の掃除を行う際は、排水栓３９を開くことで、浴槽１２の底面にある下部排水口１７から下部排水口ホース３７を通じて下部排水口トラップ３８から外部に水を排出して掃除を行う。
【００５１】
また、凹型溝の上方は、支持台１３を構成し、支持台１３は、治療中、使用者が寄り掛かることで使用者が楽に治療を行うことができる。
【００５２】
支持台１３は、凹型溝２１の波返し構造２３とは無関係のため自由に形成できるが、先に紹介した特許文献２にあるような支持台１３の使用上の脱着機構を設置する場合、かなりの荷重に耐え得る機構にしておかないと、使用者が治療中に支持台１３に過剰に寄り掛かったり、又は、立ち上がろうとした際に支持台１３を手摺として予想以上の荷重を掛けたりした場合、不意に支持台１３が外れてしまい、使用者が怪我をするリスクを孕んでいる。
【００５３】
このため、支持台１３は、通常使用時の脱着はできない構造にしている。
【００５４】
なお、凹型溝２１の波返し構造２３と支持台１３は、あえて分離させる必要は無く、製作経費の削減のため、支持台１３の底を凹型溝２１の構造の屋根として流用することもできる。
【実施例２】
【００５５】
図４は、本発明の１実施例に係わる凹型溝２１の構造を表した断面図である。
【００５６】
汚れ又はゴミの逆流を防止し捕集効果を上げるために、より排水口へ水が流れるよう、凹型溝２１の下面を凹型構排水口２２側へ傾斜させている。
【実施例３】
【００５７】
図５は、本発明の１実施例に係わる凹型溝２１の構造を表した断面図である。
【００５８】
汚れ又はゴミの逆流を防止し捕集効果を上げるために、凹型溝２１と浴槽１２の間に若干の凸部となる障壁２４を設置している。
【実施例４】
【００５９】
図６は、本発明の１実施例に係わる凹型溝２１の構造を表した断面図である。
【００６０】
湯水が減った時でも、波返し及び汚れが視認し難くなる効果が得られるよう、凹型溝内排水口２２を凹型溝２１の側面に設置し、浴槽１２の水面が凹型溝２１の下面より上になるよう設定している。
【実施例５】
【００６１】
図７は、本発明の１実施例に係わる凹型溝２１の構造を表した断面図である。
【００６２】
波返しの効果が特に得られるよう、凹型溝２１の下面を浴槽１２側へ傾斜させ、凹型溝内排水口２２を凹型溝２１の下面の傾斜させた斜面に設置している。
【実施例６】
【００６３】
図８は、本発明の１実施例に係わる上肢用の渦流を用いた温浴療法用浴槽の実施例６の上面図であり、点線によって、凹型溝２１の上面からの形状を表す。
【００６４】
ここでは、凹型溝２１の奥行きは全周均等な奥行きにするだけではなく、凹型溝内排水口２２の近くで凹型溝２１の奥行きが奥深くなるようにし、波が凹型溝内排水口２２に寄り集まり易いような形状にすることもできる。
【００６５】
なお、この例は一例であり、凹型溝２１を設置する位置は、図８では２箇所に位置しているが、どちらか１箇所のみ設置することもできる。
【００６６】
なお、実施例１乃至６は、上肢用にて表したが、本発明は下肢用においても同様に実施することができる。
【符号の説明】
【００６７】
１１    操作パネル
１２    浴槽
１３    支持台
１４    左ノズル
１５    右ノズル
１６    ヒータ
１７    下部排水口
１８    カバー
１９    機構部
２１    凹型溝
２２    凹型溝内排水口
２３    波返し構造
２４    障壁
３０    制御部
３１    水位センサ
３２    循環ポンプ
３３    左ホース
３４    右ホース
３５    凹型溝内排水口ホース
３６    凹型溝内排水口トラップ
３７    下部排水口ホース
３８    下部排水口トラップ
３９    排水栓
【図１】
2014073282.tif 000003
【図２】
2014073282.tif 000004
【図３】
2014073282.tif 000005
【図４】
2014073282.tif 000006
【図５】
2014073282.tif 000007
【図６】
2014073282.tif 000008
【図７】
2014073282.tif 000009
【図８】
2014073282.tif 000010